(57)【要約】      （修正有）【課題】端子盤における配線コードの取外しや取付けなどの作業を、通電中であっても不都合が生ずることなく簡便に行うことができる端子キャップ及び端子盤を提供する。【解決手段】端子盤１０は、長尺の基台２０に、多数の端子３０が設けられた構造となっており、主部２２から引出部２４が引き出して形成されている。主部には、スタッドボルト３２が適宜の間隔で立設されており、これにタブ接続板３４，ナット３６等が取りけられている。タブ接続板には２つの接続端が設けられ、それぞれに配線コード６０のタブ導体６２が差し込んで固定される。一方、端子キャップ１００は、端子３０を包み込み、頂部が突出した筒状部と、その下部側面から延設されてタブ接続板を覆う鍔部と、鍔部と反対の側面に形成され、配線コード５０と環状導体５２との接続部を通すための開口部を有する覆い部とを備える。【選択図】図１
0003204493.tif 000002
【実用新案登録請求の範囲】
【請求項１】
ボルト・ナットを利用して一方の配線コードを接続するとともに、タブ接続板を利用して少なくとも一つの他方の配線コードを接続する端子に被せる絶縁性の端子キャップであって、
該端子キャップは、
前記ボルト・ナット部分を覆う筒状部と、
前記タブ接続板部分を覆う鍔部と、
を備えたことを特徴とする端子キャップ。
【請求項２】
前記筒状部に、前記一方の配線コードを通すための開口部を有する覆い部を設けたことを特徴とする請求項１記載の端子キャップ。
【請求項３】
前記筒状部の頂部に、開口部を設けたことを特徴とする請求項１又は２に記載の端子キャップ。
【請求項４】
ボルト・ナットを利用して一方の配線コードを接続するとともに、タブ接続板を利用して少なくとも一つの他方の配線コードを接続する端子が、長尺の絶縁性の基台に複数設けられており、
前記各端子に、請求項１〜３のいずれか一項に記載の端子キャップを取り付けたことを特徴とする端子盤。
【請求項５】
前記基台が、前記端子が設けられている主部と、該主部から引き出して形成されている引出部とを備えていることを特徴とする請求項４記載の端子盤。
【請求項６】
前記引出部に、表示部もしくは預けタブの一方もしくは両方を設けたことを特徴とする請求項５記載の端子盤。
【請求項７】
ボルト・ナットを利用して一方の配線コードを接続するとともに、前記ボルト・ナットを利用して他方の配線コードを接続する端子に被せる絶縁性の端子キャップであって、
該端子キャップは、
前記ボルト・ナット部分を覆う筒状部と、
該筒状部に設けられており、前記一方の配線コードを通すための開口部を有する一方の覆い部と、
前記筒状部に設けられており、前記他方の配線コードを通すための開口部を有する他方の覆い部と、
を備えたことを特徴とする端子キャップ。
【請求項８】
前記筒状部の頂部に、開口部を設けたことを特徴とする請求項７記載の端子キャップ。
【考案の詳細な説明】
【技術分野】
【０００１】
本考案は、各種の配線に使用する端子を絶縁する端子キャップ及びそれを使用する端子盤に関し、例えば鉄道用信号機の器具箱内に配設される端子盤に好適な端子キャップに関する。
【背景技術】
【０００２】
従来の端子盤としては、例えば下記特許文献１記載のものがある。これは、長尺の絶縁基台に、複数の端子が長手方向に設けられた構造となっている。図６には、その一例が示されており、絶縁性の樹脂などで形成されている長尺の基台９００には、複数の端子９１０が適宜の間隔で設けられている。端子９１０は、基台９００に埋め込まれたスタッドボルト９１２に、タブ接続板９１４，ワッシャーやナット９１６等が適宜の順番で螺合している。環状導体９２０が先端に取り付けられた配線コード９２２は、ナット９１６等によってスタッドボルト９１２に固定・接続される。タブ導体９３０が先端に取り付けられた配線コード９３２は、タブ接続板９１４に差し込まれて固定される。これらにより、配線コード９２２，９３２間の電気的接続が行われる。
【先行技術文献】
【特許文献】
【０００３】
【特許文献１】特開２００３−１５７９１７号公報
【考案の概要】
【考案が解決しようとする課題】
【０００４】
このような端子盤において、例えば、配線コード９３２の接続を変更するために、タブ接続板９１４からタブ導体９３０を外すことがある。タブ導体９３０は、電気的な接続を維持するため、タブ接続板９１４に対して簡単には外れないように、強固に取り付けられている。従って、タブ導体９３０の取外しを簡単に行うことはできないので、例えば、図６に示すように、例えばマイナスドライバー等の金属工具９５０を使用し、その先端でタブ導体９３０をタブ接続板９１４から離れるように押すようにして外している。
【０００５】
ところで、上述したタブ導体９３０の取り外しを、各配線の通電を停止して行うのであれば、特に問題は生じないが、通電した状態で行わなければならない場合もある。例えば、鉄道用信号の器具箱における接続切換えの場合、工事を列車が止まっている夜間に行うのであればよいが、日中の列車が運行中に工事を行う場合には、回線によっては通電した状態で配線の切換作業を行うこともある。
【０００６】
その場合に、上述した金属工具９５０を使用するような外し方を行うと、隣接する端子９１０に金属工具９５０が接触してショートしてしまうといった恐れがある。タブ導体９３０をタブ接続板９１４に取り付ける場合も、その方法によってはショートの可能性がある。更に、配線コード９２２の環状導体９２０を、通電状態で取り外したり、逆に取り付けたりすることも想定される。この場合も、ナット回しなどの工具の使い方によっては、隣接する端子９１０間でショートが生ずる恐れがある。
【０００７】
本考案は、以上のような点に着目したもので、端子盤における配線コードの取外しや取付けなどの作業を、通電中であっても不都合が生ずることなく、簡便に行うことをその目的とする。
【課題を解決するための手段】
【０００８】
本考案の端子キャップは、ボルト・ナットを利用して一方の配線コードを接続するとともに、タブ接続板を利用して少なくとも一つの他方の配線コードを接続する端子に被せる絶縁性の端子キャップであって、前記ボルト・ナット部分を覆う筒状部と、前記タブ接続板部分を覆う鍔部と、を備えたことを特徴とする。主要な形態の一つは、前記筒状部に、前記一方の配線コードを通すための開口部を設けたことを特徴とする。他の形態の一つは、前記筒状部の頂部に、開口部を設けたことを特徴とする。
【０００９】
本考案の端子盤は、ボルト・ナットを利用して一方の配線コードを接続するとともに、タブ接続板を利用して少なくとも一つの他方の配線コードを接続する端子が、長尺の絶縁性の基台に複数設けられており、前記各端子に、前記いずれかの端子キャップを取り付けたことを特徴とする。主要な形態の一つは、前記基台が、前記端子が設けられている主部と、該主部から引き出して形成されている引出部とを備えていることを特徴とする。他の形態の一つは、前記引出部に、表示部もしくは預けタブの一方もしくは両方を設けたことを特徴とする。
【００１０】
他の考案の端子キャップは、ボルト・ナットを利用して一方の配線コードを接続するとともに、前記ボルト・ナットを利用して他方の配線コードを接続する端子に被せる絶縁性の端子キャップであって、該端子キャップは、前記ボルト・ナット部分を覆う筒状部と、該筒状部に設けられており、前記一方の配線コードを通すための開口部を有する一方の覆い部と、前記筒状部に設けられており、前記他方の配線コードを通すための開口部を有する他方の覆い部と、を備えたことを特徴とする。主要な形態の一つは、前記筒状部の頂部に、開口部を設けたことを特徴とする。本考案の前記及び他の目的，特徴，利点は、以下の詳細な説明及び添付図面から明瞭になろう。
【考案の効果】
【００１１】
本考案によれば、端子盤の各端子に、端子キャップを被せることとしたので、端子盤における配線コードの取外しや取付けなどの作業を、通電中であっても不都合が生ずることなく、簡便に行うことができる。また、日常的な端子の保護や、ゴミ等によるショート，漏電の低減も可能である。
【図面の簡単な説明】
【００１２】
【図１】本考案の端子キャップを被せた端子盤の実施例１を示す斜視図である。
【図２】本実施例１の端子キャップを示す図である。
【図３】本実施例１における配線コードの取外し及び取付けの作業手順を示す説明図である。
【図４】端子キャップの他の例を示す斜視図である。
【図５】本考案の実施例２の端子キャップを示す図である。
【図６】従来における配線コードの取外し作業の様子を示す図である。
【考案を実施するための形態】
【００１３】
以下、本考案を実施するための形態を、実施例に基づいて詳細に説明する。
【実施例１】
【００１４】
図１には、本考案に係る端子キャップを取り付けた端子盤の一例が示されている。同図において、端子盤１０は、断面略Ｌ字状の長尺の基台２０に、多数の端子３０が設けられた構造となっている。基台２０は、例えば樹脂などの絶縁性の材料によって形成されており、主部２２から引出部２４が引き出して形成されている。引出部２４は、主部２２に対して上面が低く形成されている。
【００１５】
主部２２には、スタッドボルト３２が適宜の間隔で立設されており、これに、タブ接続板３４，ナット３６，ワッシャー３８，ナット４０，スプリングワッシャー４２，ナット４４が順に取りけられている。タブ接続板３４は、基台２０の主部２２にナット３６によって締め付け固定されている。配線コード５０の先端に取り付けられている環状導体５２は、ワッシャー３８を介してナット３６，４０に挟まれて締め付け固定されている。これら全体が緩まないように、スプリングワッシャー４２を介してナット４４により締め付け固定されている。
【００１６】
一方、タブ接続板３４には、２つの接続端が設けられており、それぞれに配線コード６０のタブ導体６２が差し込んで固定されている。これらにより、配線コード５０と、配線コード６０の電気的接続が行われている。
【００１７】
一方、上述した基台２０の引出部２４には、上面に表示部２６が設けられている。表示部２６は、例えば紙などを透明な樹脂板で覆うことで、表示が見えるようにしている。また、引出部２４の側面には、預けタブ２８が設けられている。預けタブ２８は、電気的にいずれにも接続されておらず独立しており、配線作業時において、配線コード６０のタブ導体６２を仮取付けするためにもので、必要に応じて設けられる。以上のような端子盤１０の構造は公知であり、他に各種の構造のものが知られている。
【００１８】
次に、図２を参照して、端子キャップ１００について説明する。同図(A)は端子キャップ１００を上方から見た図，(B)は下側から見た図，(C)は側面から見た図である。これらの図に示すように、端子キャップ１００は、上述した端子３０を包み込み、頂部が突出した筒状部１１０と、その下部側面から延設されて前記タブ接続板３４を覆う鍔部１２０と、該鍔部１２０と反対の側面に形成されており、前記配線コード５０と環状導体５２との接続部を通すためのＵ字状の開口部１２４を有する覆い部１２２とを、それぞれ備えている。このような構造の端子キャップ１００は、塩化ビニール樹脂などの絶縁性の素材によって形成されている。
【００１９】
次に、図３も参照しながら、本実施例の作用を説明する。端子キャップ１００は、その筒状部１１０が端子３０を包み込み、鍔部１２０がタブ接続板３４を覆うように、端子盤１０の端子３０にそれぞれ被せられる。このとき、端子３０に接続されている配線コード５０は、端子キャップ１００の開口部１２４を通るようになる。図３(A)には、平面ないし上面から見た様子が示されている。なお、端子３０Ｂには、配線コード６０は接続されていない。
【００２０】
この状態で、端子３０Ａに接続されている配線コード６０Ｂを取り外して、端子３０Ｂに接続するものとする。まず、同図(B)に示すように、まず、端子３０Ａに被せている端子キャップ１００Ａを取り外す。次に、同図(C)に示すように、金属工具９５０を使用して、配線コード６０Ｂのタブ導体６２Ｂを、端子３０Ａのタブ接続板３４Ａから外す。このとき、金属工具９５０が、隣接する端子３０Ｂに接触しようとしても、端子３０Ｂに端子キャップ１００Ｂが被せられているため、ショートの発生が防止される。
【００２１】
同図(D)に示すようにタブ導体６２Ｂを外した後に、同図(E)に示すように端子３０Ａに端子キャップ１００Ａを被せる。
【００２２】
次に、同図(F)に示すように、端子３０Ｂの端子キャップ１００Ｂを外すとともに、同図(G)に示すように、端子３０Ｂのタブ接続板３４Ｂに配線コード６０Ｂのタブ導体６２Ｂを接続する。タブ接続板３４Ｂには、接続片３４Ｂａ，３４Ｂｂがあり、いずれにタブ導体６２Ｂを接続してもよいが、図示の例では、接続片３４Ｂａに取り付けている。次に、同図(H)に示すように、端子３０Ｂに端子キャップ１００Ｂを被せ、作業は終了する。
【００２３】
以上のように、本実施例によれば、端子盤の各端子に、タブ接続板も覆う端子キャップを被せることとしたので、端子盤における配線コードの取外しや取付けなどの作業を、通電中であっても不都合が生ずることなく、簡便に行うことができる。また、日常的な端子の保護や、ゴミなどによるショート，漏電の低減にも好適である。
【実施例２】
【００２４】
次に、図５(A)を参照しながら本考案の実施例２を説明する。なお、上述した実施例１と同一ないし対応する構成要素には同一の符号を用いることとする。図５(A)には、本実施例の端子キャップ２００が示されている。なお、端子盤の構造は前記実施例１と同様である。図５(A)に示すように、一方の配線コード５０Ａの先端に取り付けられている環状導体５２Ａと、他方の配線コード５０Ｂの先端に取り付けられている環状導体５２Ｂは、順に重ねられた状態で、ワッシャー３８を介してナット３６，４０に挟まれて、端子３０に締め付け固定されている。これにより、配線コード５０Ａと、配線コード５０Ｂの電気的接続が行われている。
【００２５】
端子キャップ２００は、端子３０を包み込み、頂部が突出した筒状部２１０と、前記一方の配線コード５０Ａと環状導体５２Ａとの接続部を覆い、前記一方の配線コード５０Ａを通すためのＵ字状の開口部２１４を有する覆い部２１２と、該覆い部２１２と反対側の側面に形成されており、前記他方の配線コード５０Ｂと環状導体５２Ｂとの接続部を覆い、前記他方の配線コード５０Ｂを通すための開口部２１８を有する覆い部２１６とをそれぞれ備えている。前記覆い部２１２，２１６は、上述した実施例１の覆い部１２２よりも、配線コード５０Ａ，５０Ｂの延長方向に長く形成され、開口部２１４，２１８の寸法も、前記実施例１の開口部１２４より大きく形成されている。このような構造の端子キャップ２００は、実施例１と同様に絶縁性の素材によって形成されている。
【００２６】
本実施例では、配線コード５０Ａ，５０Ｂを取り外すときには、前記キャップ２００を取り外し、ナット４４を緩め、次にナット４０を緩めて、環状導体５２Ａ，５２Ｂを取り外すが、他の端子３０に上述したキャップ２００を被せておくことで、配線コードの取り付け・取り外し作業中に、前記環状導体５２Ａ，５２Ｂが他の端子３０に接触して傷つけるのを防止できる。また、日常的な端子の保護や、ゴミ等によるショート，漏電の低減にも好適である
【００２７】
なお、本考案は、上述した実施例に限定されるものではなく、本考案の要旨を逸脱しない範囲内において種々変更を加えることができる。例えば、以下のものも含まれる。
（１）前記実施例で示した端子盤の構造は一例であり、各種の構造の端子盤に適用可能である。
（２）前記実施例１では、タブ接続板に接続片が２つある場合を示したが、図４に示すように、接続片の数は、必要に応じて増減してよい。同図(A)のタブ接続板１３４は１つの接続片１３６を備えており、同図(B)のタブ接続板１４４は３つの接続片１４６ａ〜１４６ｃを備えている。同図(A)は接続片が１つなので端子キャップ１３０の鍔部１３２の幅は狭く、同図(B)は接続片が３つなので端子キャップ１４０の鍔部１４２の幅が広くなっている。
（３）前記実施例では、端子キャップの筒状部を円筒形状としたが、鍔部も含めて形状は任意であり、各種の形状としてよい。
（４）前記実施例１では、端子キャップの筒状部の頂部が閉塞した構造としたが、これも一例であり、図４(C)に示すように、筒状部１１０の頂部１１２に開口部１１４を設けるようにしてもよい。例えば、器具箱からケーブル（配線コード）が接続されている現場装置の電圧を測定する際は、現場装置に測定する端子がない場合には、器具箱のケーブルが接続された端子で電圧を測定することとなる。または、前記器具箱から他の器具箱に電圧が出力されている場合は、該当するケーブルが接続された端子で電圧を測定することになる。このような場合に、図４(C)に示すように、筒状部１１０の頂部１１２に開口部１１４を設けることで、異なる２箇所の端子の端子キャップの開口部１１４に回路計のリード棒をそれぞれ差し込み、端子に接触させて電圧を測定できる。実施例２についても同様に、図５(B)に示すように、筒状部２１０の頂部２２０に開口部２２２を設けることで、電圧測定が容易となる。
（５）前記実施例では、本考案の端子キャップを端子盤に適用し、隣接する端子間でのショートを防止するようにしたが、端子が１つの場合においても、本考案の端子キャップを適用することで、端子の保護などの効果を得ることができる。また、本考案の端子キャップ及び端子盤は、鉄道用信号機の器具箱などが好適な例であるが、各種のタブ接続板を備えた端子に適用してよい。
【産業上の利用可能性】
【００２８】
本考案によれば、端子盤の各端子に、端子キャップを被せることとしたので、端子盤における配線コードの取外しや取付けなどの作業を、通電中であっても不都合が生ずることなく、簡便に行うことができる，あるいは、日常的な端子の保護や、ゴミ等によるショート，漏電の低減もできるので、鉄道用信号機の器具箱などに好適である。
【符号の説明】
【００２９】
１０：端子盤
２０：基台
２２：主部
２４：引出部
２６：表示部
２８：預けタブ
３０，３０Ａ，３０Ｂ：端子
３２：スタッドボルト
３４，３４ａ，３４ｂ：タブ接続板
３４Ｂａ，３４Ｂｂ：接続片
３６，４０，４４：ナット
３８：ワッシャー
４２：スプリングワッシャー
５０，５０Ａ，５０Ｂ：配線コード
５２，５２Ａ，５２Ｂ：環状導体
６０，６０Ｂ：配線コード
６２，６２Ｂ：タブ導体
１００，１００Ａ，１００Ｂ：端子キャップ
１１０：筒状部
１１２：頂部
１１４：開口部
１２０：鍔部
１２２：覆い部
１２４：開口部
１３０：端子キャップ
１３２：鍔部
１３４：タブ接続板
１３６：接続片
１４０：端子キャップ
１４２：鍔部
１４４：タブ接続板
１４６Ａ〜１４６Ｃ：接続片
２００：端子キャップ
２１０：筒状部
２１２，２１６：覆い部
２１４，２１８：開口部
２２０：頂部
２２２：開口部
９００：基台
９１０：端子
９１２：スタッドボルト
９１４：タブ接続板
９１６：ナット
９２０：環状導体
９２２，９３２：配線コード
９３０：タブ導体
９５０：金属工具
【図１】
0003204493.tif 000003
【図２】
0003204493.tif 000004
【図３】
0003204493.tif 000005
【図４】
0003204493.tif 000006
【図５】
0003204493.tif 000007
【図６】
0003204493.tif 000008